(57)【要約】      （修正有）【課題】ネットワークケーブルの接続の誤りの発生を抑制する。【解決手段】本ネットワークスイッチは、複数のポートと、複数のポートのうち第１のポートに第１の端部が接続されているケーブルの第２の端部が、他のネットワークスイッチのポートに接続されたことを検出する検出部と、第２の端部が他のネットワークスイッチのポートに接続されたことが検出部により検出された場合、第２の端部が接続されるべきポートの識別情報と、第２の端部が接続されるべきポートを有するネットワークスイッチの識別情報とを、他のネットワークスイッチにケーブルを介して送信する送信部と、接続が誤りであることを示す通知を、他のネットワークスイッチからケーブルを介して受信した場合、少なくとも第２の端部の発光部を第１の発光態様で発光させる制御部とを有する。【選択図】図１
2015142308.tif 000002
【特許請求の範囲】
【請求項１】
複数のポートと、
前記複数のポートのうち第１のポートに第１の端部が接続されているケーブルの第２の端部が、他のネットワークスイッチのポートに接続されたことを検出する検出部と、
前記第２の端部が前記他のネットワークスイッチのポートに接続されたことが前記検出部により検出された場合、前記第２の端部が接続されるべきポートの識別情報と、前記第２の端部が接続されるべきポートを有するネットワークスイッチの識別情報とを、前記他のネットワークスイッチに前記ケーブルを介して送信する送信部と、
接続が誤りであることを示す通知を、前記他のネットワークスイッチから前記ケーブルを介して受信した場合、少なくとも前記第２の端部の発光部を第１の発光態様で発光させる制御部と、
を有するネットワークスイッチ。
【請求項２】
前記複数のポートの各々が発光部を有し、
前記制御部は、
前記複数のポートのうち前記第１の端部が接続されるべきポートの発光部を第２の発光態様で発光させる
請求項１記載のネットワークスイッチ。
【請求項３】
前記第１の端部が接続されるべきポートと前記第１のポートとが一致するか判定する判定部
をさらに有し、
前記制御部は、
前記第１の端部が接続されるべきポートと前記第１の端部が接続されているポートとが一致しないと前記判定部により判定された場合、少なくとも前記第１の端部が接続されるべきポートの発光部を前記第１の発光態様で発光させる
請求項２記載のネットワークスイッチ。
【請求項４】
前記送信部は、
取り外されるケーブルの端部が接続されているべきネットワークスイッチの識別情報を読み出し、読み出した前記識別情報を前記他のネットワークスイッチに送信し、
前記制御部は、
前記取り外されるケーブルの端部が前記他のネットワークスイッチに接続されていないことを示す通知を、前記他のネットワークスイッチから受信した場合、前記取り外されるケーブルの端部の発光部を前記第１の発光態様で発光させる
請求項１記載のネットワークスイッチ。
【請求項５】
前記判定部は、
取り外されるケーブルが接続されているべきポートの識別情報を読み出し、前記ポートにケーブルが接続されているか判定し、
前記制御部は、
前記取り外されるケーブルが接続されているべきポートにケーブルが接続されていないと前記判定部により判定された場合、前記取り外されるケーブルが接続されているべきポートの発光部を前記第１の発光態様で発光させ、
前記取り外されるケーブルが接続されているべきポートにケーブルが接続されていると前記判定部により判定された場合、前記取り外されるケーブルが接続されているべきポートの発光部を前記第２の発光態様で発光させる
請求項４記載のネットワークスイッチ。
【請求項６】
複数のネットワークスイッチ
を有し、
前記複数のネットワークスイッチのうち第１のネットワークスイッチは、
複数のポートと、
前記複数のポートのうち第１のポートに第１の端部が接続されているケーブルの第２の端部が、前記複数のネットワークスイッチのうち第２のネットワークスイッチのポートに接続されたことを検出する検出部と、
前記第２の端部が前記第２のネットワークスイッチのポートに接続されたことが前記検出部により検出された場合、前記第２の端部が接続されるべきポートの識別情報と、前記第２の端部が接続されるべきポートを有するネットワークスイッチの識別情報とを、前記第２のネットワークスイッチに前記ケーブルを介して送信する第１送信部と、
接続が誤りであることを示す通知を、前記第２のネットワークスイッチから前記ケーブルを介して受信した場合、少なくとも前記第２の端部の発光部を第１の発光態様で発光させる第１制御部と、
を有し、
前記第２のネットワークスイッチは、
複数のポートと、
受信した前記第２の端部が接続されるべきポートの識別情報と前記第２の端部が接続されるべきポートを有するネットワークスイッチの識別情報とを用いて、接続が誤りであるか判定する判定部と、
接続が誤りであると前記判定部により判定された場合、前記接続が誤りであることを示す通知を、前記第１のネットワークスイッチに前記ケーブルを介して送信する第２送信部と、
を有する情報処理システム。
【請求項７】
前記判定部は、
前記第２の端部が接続されるべきポートを有するネットワークスイッチが前記第２のネットワークスイッチであるか判定し、
前記第２の端部が接続されるべきポートを有するネットワークスイッチが前記第２のネットワークスイッチではないと前記判定部により判定された場合、前記接続が誤りであることを示す通知を前記ケーブルを介して前記第１のネットワークスイッチに送信すると共に、前記複数のポートのうち前記第２の端部が接続されたポートの発光部を前記第１の態様で発光させる第２制御部
をさらに有する請求項６記載の情報処理システム。
【請求項８】
前記判定部は、
前記第２の端部が接続されるべきポートと、前記第２の端部が接続されたポートとが一致するか判定し、
前記第２制御部は、
前記第２の端部が接続されるべきポートと前記第２の端部が接続されたポートとが一致しないと前記判定部により判定された場合、前記接続が誤りであることを示す通知を前記ケーブルを介して前記第１のネットワークスイッチに送信すると共に、前記第２の端部が接続されるべきポートの発光部を第２の態様で発光させる
請求項７記載の情報処理システム。
【請求項９】
前記判定部は、
前記第１のネットワークスイッチから、取り外されるケーブルの端部が接続されているべきネットワークスイッチの識別情報を受信した場合、前記ネットワークスイッチが前記第２のネットワークスイッチであるか判定し、
前記第２送信部は、
前記取り外されるケーブルの端部が接続されているべきネットワークスイッチが前記第２のネットワークスイッチではないと判定された場合、前記取り外されるケーブルの端部が前記第２のネットワークスイッチに接続されていないことを示す通知を、前記第１のネットワークスイッチに送信する
請求項６記載の情報処理システム。
【請求項１０】
複数のポートのうち第１のポートに第１の端部が接続されているケーブルの第２の端部が、他のネットワークスイッチのポートに接続されたことを検出し、
前記第２の端部が前記他のネットワークスイッチのポートに接続されたことが検出された場合、前記第２の端部が接続されるべきポートの識別情報と、前記第２の端部が接続されるべきポートを有するネットワークスイッチの識別情報とを、前記他のネットワークスイッチに前記ケーブルを介して送信し、
接続が誤りであることを示す通知を、前記他のネットワークスイッチから前記ケーブルを介して受信した場合、少なくとも前記第２の端部の発光部を第１の発光態様で発光させる、
処理をコンピュータが実行する接続支援方法。
【発明の詳細な説明】
【技術分野】
【０００１】
本発明は、ネットワークケーブルの接続支援技術に関する。
【背景技術】
【０００２】
ＬＡＮ（Local Area Network）スイッチが集積された機器室等には、ＬＡＮスイッチのポート間を接続するためのＬＡＮケーブルが多数敷設されるため、作業者によるＬＡＮケーブルの接続及び取り外しには困難が伴う。例えば、作業者はＬＡＮを構築する際、ＬＡＮケーブルが接続されるポートの位置を間違えないように注意しながら作業を行う。また、作業者は特定のＬＡＮケーブルを取り外す際、取り外すべきではないＬＡＮケーブルを誤って取り外すことが無いように注意しながら作業を行う。
【０００３】
ネットワークケーブルの接続支援に関して、以下のような技術が知られている。具体的には、サーバ間をケーブルで接続する際、ケーブルのコネクタが接続されるべきポートのビジュアルインジケータを点灯させることで、作業者が間違ったポートにケーブルを接続することを防止する。但し、この技術は、実際にケーブルの接続をする前に、何らかの方法によって正しい接続に関する情報を予め各サーバの間で共有することを前提としている。
【０００４】
また、以下のような技術も知られている。具体的には、ディスクアレイ装置が、複数のディスク装置を内蔵した複数のディスク装置筐体と、ディスク装置に対するデータの読み書きを制御するコントローラを内蔵したコントローラ筐体とを備える。そして、複数のディスク装置筐体の各々は、ファイバチャネル用のケーブルを接続するための複数のコネクタと、各コネクタに対応した複数のＬＥＤ（Light Emitting Diode）とを有しており、コントローラは、ケーブルの接続順序に従って、ＬＥＤの点灯状態を制御する。但し、この技術は、ＬＥＤの点灯制御信号をコントローラ筐体からディスク装置筐体に伝達可能とするため、実際にケーブルの接続をする前に仮接続等をすることを前提としている。
【先行技術文献】
【特許文献】
【０００５】
【特許文献１】特開２００８−１１７３７７号公報
【特許文献２】特開２００５−１８２２４５号公報
【発明の概要】
【発明が解決しようとする課題】
【０００６】
本発明の目的は、１つの側面では、ネットワークケーブルの接続の誤りの発生を抑制する技術を提供することである。
【課題を解決するための手段】
【０００７】
一態様では、ネットワークスイッチは、複数のポートと、複数のポートのうち第１のポートに第１の端部が接続されているケーブルの第２の端部が、他のネットワークスイッチのポートに接続されたことを検出する検出部と、第２の端部が他のネットワークスイッチのポートに接続されたことが検出部により検出された場合、第２の端部が接続されるべきポートの識別情報と、第２の端部が接続されるべきポートを有するネットワークスイッチの識別情報とを、他のネットワークスイッチにケーブルを介して送信する送信部と、接続が誤りであることを示す通知を、他のネットワークスイッチからケーブルを介して受信した場合、少なくとも第２の端部の発光部を第１の発光態様で発光させる制御部とを有する。
【０００８】
一態様では、情報処理システムは、複数のネットワークスイッチを有する。そして、複数のネットワークスイッチのうち第１のネットワークスイッチは、複数のポートと、複数のポートのうち第１のポートに第１の端部が接続されているケーブルの第２の端部が、複数のネットワークスイッチのうち第２のネットワークスイッチのポートに接続されたことを検出する検出部と、第２の端部が第２のネットワークスイッチのポートに接続されたことが検出部により検出された場合、第２の端部が接続されるべきポートの識別情報と、第２の端部が接続されるべきポートを有するネットワークスイッチの識別情報とを、第２のネットワークスイッチにケーブルを介して送信する第１送信部と、接続が誤りであることを示す通知を、第２のネットワークスイッチからケーブルを介して受信した場合、少なくとも第２の端部の発光部を第１の発光態様で発光させる第１制御部とを有する。そして、上で述べた第２のネットワークスイッチは、複数のポートと、受信した第２の端部が接続されるべきポートの識別情報と第２の端部が接続されるべきポートを有するネットワークスイッチの識別情報とを用いて、接続が誤りであるか判定する判定部と、接続が誤りであると判定部により判定された場合、接続が誤りであることを示す通知を、第１のネットワークスイッチにケーブルを介して送信する第２送信部とを有する。
【発明の効果】
【０００９】
１つの側面では、ネットワークケーブルの接続の誤りの発生を抑制することができるようになる。
【図面の簡単な説明】
【００１０】
【図１】図１は、本実施の形態におけるネットワークスイッチの機能ブロック図である。
【図２】図２は、ＬＡＮケーブルの機能ブロック図である。
【図３】図３は、発光の制御について説明するための図である。
【図４】図４は、接続情報の入力を受け付けたネットワークスイッチが実行する処理の処理フローを示す図である。
【図５】図５は、情報格納部に格納される接続情報の一例を示す図である。
【図６】図６は、発光態様を示す図である。
【図７】図７は、発光態様を示す図である。
【図８】図８は、接続情報の入力を受け付けたネットワークスイッチが実行する処理の処理フローを示す図である。
【図９】図９は、発光態様を示す図である。
【図１０】図１０は、発光態様を示す図である。
【図１１】図１１は、発光態様を示す図である。
【図１２】図１２は、接続先のネットワークスイッチが実行する処理の処理フローを示す図である。
【図１３】図１３は、発光態様を示す図である。
【図１４】図１４は、発光態様を示す図である。
【図１５】図１５は、取り外し情報の入力を受け付けたネットワークスイッチが実行する処理の処理フローを示す図である。
【図１６】図１６は、発光態様を示す図である。
【図１７】図１７は、発光態様を示す図である。
【図１８】図１８は、発光態様を示す図である。
【図１９】図１９は、発光態様を示す図である。
【図２０】図２０は、接続先のネットワークスイッチが実行する処理の処理フローを示す図である。
【図２１】図２１は、ネットワークスイッチの機能ブロック図である。
【発明を実施するための形態】
【００１１】
図１に、本実施の形態におけるネットワークスイッチ１の機能ブロック図を示す。ネットワークスイッチ１は、情報格納部１１と、発光部１００１、検出部１００２及びインタフェース１００３を含むポート１００及び１０１と、判定部１３及び発光制御部１４を含む処理部１２と、通信処理部１５と、情報処理部１６とを有する。ポート１０１は、ポート１００と同様、発光部、検出部及びインタフェースを有しているが、図面を見やすくするため省略されている。
【００１２】
ポート１００及びポート１０１は物理ポートである。発光部１００１は、例えばＬＥＤであり、発光制御部１４によって、消灯、点灯及び点滅のいずれかの状態になるように制御される。検出部１００２は、ポート１００にＬＡＮケーブルのコネクタが接続されたこと及びポート１００からＬＡＮケーブルのコネクタが取り外されたこと等を検出し、判定部１３に通知する。
【００１３】
情報格納部１１には、ネットワークの管理者等から入力された接続情報及び取り外し情報が格納される。判定部１３は、検出部１００２から通知された情報と、情報格納部１１に格納された情報とを比較して判定を行う。そして、判定部１３は、判定の結果を発光制御部１４に通知する。発光制御部１４は、判定の結果に従い、発光部１００１の発光態様を変更する。
【００１４】
通信処理部１５は、他のネットワークスイッチ１等との間で通信データを送受信するための処理を行う。情報処理部１６は、通信処理部１５から出力された通信データに、情報格納部１１に格納された接続情報及び取り外し情報を付加する処理等を行う。
【００１５】
図２に、ＬＡＮケーブル３の機能ブロック図を示す。本実施の形態においては、ＬＡＮケーブル３の両端におけるコネクタに発光部が設けられている。具体的には、ＬＡＮケーブル３の一方の端である第１コネクタ３１は発光部３１１を有し、ＬＡＮケーブル３の他方の端である第２コネクタ３２は発光部３２１を有する。発光部３１１及び３２１は、例えばＬＥＤであり、空き心線によって電力が供給される。
【００１６】
図３を用いて、発光部３１１及び３２１の発光の制御について説明する。発光部３１１及び３２１の発光は、ネットワークスイッチ１の発光制御部１４によって制御される。発光制御部１４は、ＬＡＮケーブル３の空き心線によって発光部３１１及び３２１に電力を供給し、発光部３１１及び３２１の発光を制御する。
【００１７】
以下では、ＬＡＮケーブル３の接続の際及び取り外しの際におけるネットワークスイッチ１の動作を説明する。まず、図４乃至図１４を用いて、ＬＡＮケーブル３を接続する際の動作について説明する。
【００１８】
ネットワークスイッチ１は、ネットワークの管理者等から接続情報の入力を受け付け、入力された接続情報を情報格納部１１に格納する（図４：ステップＳ１）。
【００１９】
図５に、情報格納部１１に格納される接続情報の一例を示す。図５の例では、接続情報の入力を受け付けたネットワークスイッチ１における、ＬＡＮケーブル３が接続されるべきポートのＩＤと、接続先のネットワークスイッチ１のＩＤと、接続先のネットワークスイッチ１における、ＬＡＮケーブル３が接続されるべきポートのＩＤとが格納される。
【００２０】
そして、ネットワークスイッチ１の発光制御部１４は、ＬＡＮケーブル３が接続されるべきポートのＩＤを情報格納部１１から読み出し、そのポートの発光部１００１を点灯する（ステップＳ３）。
【００２１】
図６に、ステップＳ３の時点における発光態様を示す。図６において、菱形の図形は発光部１００１を表しており、発光部１００１は点灯している。これにより、ネットワークの管理者等は、発光部１００１が点灯しているポートにＬＡＮケーブル３のコネクタを接続すればよいことがわかる。
【００２２】
ＬＡＮケーブルのコネクタ（ここでは、第１コネクタ３１とする）が接続されたポートの検出部１００２は、ＬＡＮケーブル３がポートに接続されたことを検出する（ステップＳ５）。検出部１００２は、ＬＡＮケーブル３が接続されたポートのＩＤを判定部１３に通知する。
【００２３】
判定部１３は、検出部１００２から通知されたＩＤを、情報格納部１１から読み出した、ＬＡＮケーブル３が接続されるべきポートのＩＤと比較することにより、接続されるべきポートにＬＡＮケーブル３が接続されたか判定する（ステップＳ７）。
【００２４】
接続されるべきポートにＬＡＮケーブル３が接続されていない場合（ステップＳ７：Ｎｏルート）、判定部１３は、判定の結果を発光制御部１４に通知する。そして、発光制御部１４は、ＬＡＮケーブル３が接続されるべきポートの発光部１００１を点滅させる（ステップＳ９）。そして、誤ったポートに接続されたＬＡＮケーブル３が取り外される（ステップＳ１１）。ステップＳ１１の後、ステップＳ３の処理に戻る。ステップＳ１１の処理はネットワークスイッチ１が実行する処理ではないので、図４においてステップＳ１１のブロックは点線で示されている。
【００２５】
図７に、ステップＳ９の時点における発光態様を示す。図７において、ＬＡＮケーブル３が接続されるべきポートの発光部１００１が点滅している。これにより、ネットワークの管理者等は、発光部１００１が点滅しているポートにＬＡＮケーブル３のコネクタを接続すべきであったことがわかる。以下、図７、図９、図１０、図１１、図１３及び図１４においては、ＬＡＮケーブル３が最初に接続されるネットワークスイッチ１をネットワークスイッチＡとし、ＬＡＮケーブル３が後に接続されるネットワークスイッチ１をネットワークスイッチＢとする。
【００２６】
一方、接続されるべきポートにＬＡＮケーブル３が接続されている場合（ステップＳ７：Ｙｅｓルート）、処理は端子Ａを介して図８のステップＳ１３の処理に移行する。
【００２７】
図８の説明に移行し、発光制御部１４は、ＬＡＮケーブル３の両端における第１コネクタ３１の発光部３１１及び第２コネクタの発光部３２１を点灯させる（ステップＳ１３）。
【００２８】
図９に、ステップＳ１３の時点における発光態様を示す。図９においては、丸の図形は発光部３１１及び発光部３２１を表しており、発光部３１１及び発光部３２１は点灯している。また、ネットワークスイッチＡにおける、ＬＡＮケーブル３が接続されたポートの発光部１００１も点灯している。これにより、ネットワークの管理者は、どのＬＡＮケーブル３のコネクタをネットワークスイッチＢに接続すべきであるのかがわかる。そして、ネットワークの管理者等は、ＬＡＮケーブル３のコネクタをネットワークスイッチＢのポートに接続する。
【００２９】
検出部１００２は、リンクアップしたか判断する（ステップＳ１５）。すなわち、検出部１００２は、レイヤ２の通信を行う準備ができた状態になったか判断する。リンクアップしていない場合（ステップＳ１５：Ｎｏルート）、ステップＳ１５の処理を再度実行する。
【００３０】
一方、リンクアップした場合（ステップＳ１５：Ｙｅｓルート）、情報処理部１６は、通信処理部１５から出力された通信データに、情報格納部１１から読み出した接続情報（ここでは、接続先のネットワークスイッチ１のＩＤ、及び、接続先のネットワークスイッチ１における、ＬＡＮケーブル３が接続されるべきポートのＩＤ）を付加し、接続要求を生成する。そして、情報処理部１６は、生成された接続要求を、インタフェース１００３を介して接続先のネットワークスイッチ１（ここでは、第２コネクタ３２が接続されたポートを有するネットワークスイッチ１）に送信する（ステップＳ１７）。
【００３１】
接続要求を受信したネットワークスイッチ１は後で説明する処理を実行し、接続要求に対する応答を、接続要求の送信元のネットワークスイッチ１に送信する。これに応じ、接続要求の送信元のネットワークスイッチ１におけるインタフェース１００３は、接続先のネットワークスイッチ１から接続要求に対する応答を受信し（ステップＳ１９）、判定部１３に出力する。
【００３２】
判定部１３は、受信した応答が、正常な接続であることを示す正常接続通知であるか判定する（ステップＳ２１）。正常接続通知ではない場合（ステップＳ２１：Ｎｏルート）、判定部１３は、接続先のネットワークスイッチ１が誤っていることを示す異常接続通知又は接続先のポートが誤っていることを示す異常接続通知を、発光制御部１４に通知する。
【００３３】
これに応じ、発光制御部１４は、ＬＡＮケーブル３の両端における第１コネクタの発光部３１１及び第２コネクタの発光部３２１を点滅する（ステップＳ２３）。
【００３４】
図１０に、ステップＳ２３の時点における発光態様を示す。図１０においては、発光部３１１及び発光部３２１は点滅しており、接続要求の送信元のネットワークスイッチ１（ここでは、ネットワークスイッチＡ）のポートの発光部１００１は点灯している。これにより、ネットワークの管理者等は、接続先のネットワークスイッチ１が誤っているか又は接続先のポートが誤っているかのいずれかであることを認識できる。なお、この時点において、接続先のネットワークスイッチ１（ここでは、ネットワークスイッチＢ）のポートも点灯又は点滅している。しかし、接続先のネットワークスイッチ１の処理をまだ説明していないので、図１０には示していない。
【００３５】
検出部１００２は、リンクダウンしたか判断する（ステップＳ２５）。すなわち、検出部１００２は、レイヤ２の通信をできない状態である（すなわち、ＬＡＮケーブル３が取り外された）か判断する。リンクダウンしていない場合（ステップＳ２５：Ｎｏルート）、ステップＳ２５の処理を再度実行する。リンクダウンした場合（ステップＳ２５：Ｙｅｓルート）、ＬＡＮケーブル３が取り外されたので、ステップＳ１３の処理に戻る。
【００３６】
一方、正常接続通知である場合（ステップＳ２１：Ｙｅｓルート）、判定部１３は、判定結果を発光制御部１４に通知する。これに応じ、発光制御部１４は、ＬＡＮケーブル３が接続されたポートの発光部１００１及びＬＡＮケーブル３の両端における第１コネクタの発光部３１１及び第２コネクタの発光部３２１を消灯する（ステップＳ２７）。そして処理を終了する。
【００３７】
図１１に、ステップＳ２７の時点における発光態様を示す。図１１においては、点灯されていた発光部１００１、発光部３１１及び発光部３２１は消灯している。これにより、ネットワークの管理者等は、ＬＡＮケーブル３の接続が誤っていないことがわかる。
【００３８】
一方、接続先のネットワークスイッチ１は、以下のような処理を実行する。
【００３９】
まず、接続先のネットワークスイッチ１において、ＬＡＮケーブル３のコネクタ（ここでは、第２コネクタ３２とする）が接続されたポートの検出部１００２は、ＬＡＮケーブル３がポートに接続されたことを検出する（図１２：ステップＳ３１）。検出部１００２は、ＬＡＮケーブル３が接続されたポートのＩＤを判定部１３に出力する。
【００４０】
そして、インタフェース１００３は、ＬＡＮケーブル３の第２コネクタ３２が接続されたネットワークスイッチ１から、接続情報を含む接続要求を受信し（ステップＳ３３）、判定部１３に出力する。
【００４１】
判定部１３は、接続情報に含まれるネットワークスイッチ１のＩＤは、自ネットワークスイッチ１のＩＤと同じであるか判定する（ステップＳ３５）。すなわち、判定部１３は、ＬＡＮケーブル３２が接続されるべきネットワークスイッチ１が自ネットワークスイッチであるか判定する。
【００４２】
接続情報に含まれるネットワークスイッチのＩＤは、自ネットワークスイッチのＩＤと同じである場合（ステップＳ３５：Ｙｅｓルート）、判定部１３は、以下の処理を実行する。具体的には、判定部１３は、接続情報に含まれるポートのＩＤが、ＬＡＮケーブル３が実際に接続されたポートのＩＤと同じであるか判定する（ステップＳ３７）。すなわち、判定部１３は、ＬＡＮケーブル３が接続されたポートが正しいか判定する。
【００４３】
接続情報に含まれるポートのＩＤが、ＬＡＮケーブル３が実際に接続されたポートのＩＤと同じである場合（ステップＳ３７：Ｙｅｓルート）、判定部１３は、判定結果を情報処理部１６に通知する。これに応じ、情報処理部１６は、接続が正常であることを示す正常接続通知を生成し、インタフェース１００３を介して、コネクタ３１が接続されたネットワークスイッチ１に送信する（ステップＳ３９）。
【００４４】
一方、接続情報に含まれるポートのＩＤが、ＬＡＮケーブル３が実際に接続されたポートのＩＤと同じではない場合（ステップＳ３７：Ｎｏルート）、判定部１３は、判定結果を情報処理部１６及び発光制御部１４に通知する。これに応じ、情報処理部１６は、接続先のポートが誤っていることを示す異常接続通知を生成し、インタフェース１００３を介して、コネクタ３１が接続されたネットワークスイッチ１に送信する（ステップＳ４１）。
【００４５】
発光制御部１４は、接続情報に含まれるポートのＩＤにより特定されるポートの発光部１００１を点灯する（ステップＳ４３）。
【００４６】
図１３に、ステップＳ４３の時点における発光態様を示す。図１３においては、ＬＡＮケーブル３が最初に接続されたネットワークスイッチ１（ここでは、ネットワークスイッチＡ）の発光部１００１が点灯し、ＬＡＮケーブル３の発光部３１１及び発光部３２１は点滅し、接続先のネットワークスイッチ１（ここでは、ネットワークスイッチＢ）のポートのうちＬＡＮケーブル３が接続されたポートの発光部１００１は消灯しており、ＬＡＮケーブル３が接続されるべきポートの発光部１００１が点灯している。これにより、ネットワークの管理者等は、どのポートにＬＡＮケーブル３を接続すべきであるかがわかる。
【００４７】
検出部１００２は、ＬＡＮケーブルの取り外しを検出したか判断する（ステップＳ４５）。ステップＳ４５においては、例えば、リンクダウンしたか否かによって判断する。ＬＡＮケーブルの取り外しを検出していない場合（ステップＳ４５：Ｎｏルート）、ステップＳ４５の処理を再度実行する。ＬＡＮケーブル３の取り外しを検出した場合（ステップＳ４５：Ｙｅｓルート）、検出部１００２は、検出結果を判定部１３に通知する。これに応じ、判定部１３は、情報格納部１１に格納された接続情報を削除する（ステップＳ４７）。判定部１３は、接続情報が削除されたことを発光制御部１４に通知する。
【００４８】
発光制御部１４は、ＬＡＮケーブル３が接続されるべきポートの発光部１００１を消灯する（ステップＳ４９）。そしてステップＳ３１の処理に戻る。
【００４９】
一方、接続情報に含まれるネットワークスイッチ１のＩＤは、自ネットワークスイッチ１のＩＤと同じではない場合（ステップＳ３５：Ｎｏルート）、判定部１３は、判定結果を情報処理部１６及び発光制御部１４に通知する。これに応じ、情報処理部１６は、接続先のネットワークスイッチ１が誤っていることを示す異常接続通知を生成し、インタフェース１００３を介して、コネクタ３１が接続されたネットワークスイッチ１に送信する（ステップＳ５１）。
【００５０】
発光制御部１４は、ＬＡＮケーブル３の第２コネクタ３２が接続されたポートのＩＤにより特定されるポートの発光部１００１を点滅する（ステップＳ５３）。
【００５１】
図１４に、ステップＳ５３の時点における発光態様を示す。図１４においては、ＬＡＮケーブル３が最初に接続されたネットワークスイッチ１（ここでは、ネットワークスイッチＡ）の発光部１００１が点灯し、ＬＡＮケーブル３の発光部３１１及び発光部３２１は点滅し、接続先のネットワークスイッチ１（ここでは、ネットワークスイッチＢ）のポートのうちＬＡＮケーブル３が接続されたポートの発光部１００１は点滅している。これにより、ネットワークの管理者等は、誤ったネットワークスイッチ１にＬＡＮケーブル３を接続したことがわかる。
【００５２】
検出部１００２は、ＬＡＮケーブルの取り外しを検出したか判断する（ステップＳ５５）。ステップＳ５５においては、例えば、リンクダウンしたか否かによって判断する。ＬＡＮケーブルの取り外しを検出していない場合（ステップＳ５５：Ｎｏルート）、ステップＳ５５の処理を再度実行する。ＬＡＮケーブル３の取り外しを検出した場合（ステップＳ５５：Ｙｅｓルート）、検出部１００２は、検出結果を判定部１３に通知する。これに応じ、判定部１３は、情報格納部１１に格納された接続情報を削除する（ステップＳ５７）。判定部１３は、接続情報が削除されたことを発光制御部１４に通知する。
【００５３】
発光制御部１４は、ＬＡＮケーブル３の第２コネクタ３２が接続されていたポートの発光部１００１を消灯する（ステップＳ５９）。そして処理を終了する。
【００５４】
以上のような処理を実行すれば、ＬＡＮケーブル３を接続する作業を行うネットワーク管理者は、誤り無く接続を行えるようになる。
【００５５】
次に、図１５乃至図１９を用いて、ネットワークスイッチ１からＬＡＮケーブルを取り外す際の動作について説明する。
【００５６】
まず、ネットワークスイッチ１は、ネットワークの管理者等から取り外し情報の入力を受け付け、入力された取り外し情報を情報格納部１１に格納する（図１５：ステップＳ６１）。取り外し情報には、取り外し情報の入力を受け付けたネットワークスイッチ１（すなわち、自ネットワークスイッチ１）における、取り外されるべきＬＡＮケーブル３が接続されているポートのＩＤと、そのＬＡＮケーブル３の接続先のネットワークスイッチ１のＩＤと、接続先のネットワークスイッチ１における、取り外されるべきＬＡＮケーブル３が接続されているポートのＩＤとが含まれる。取り外し情報は、接続情報と同じ形式で情報格納部１１に格納される。
【００５７】
判定部１３は、取り外し情報に含まれる、自ネットワークスイッチ１のポートのＩＤにより特定されるポートに、ＬＡＮケーブル３が接続されているか判定する（ステップＳ６３）。ＬＡＮケーブル３が接続されていない場合（ステップＳ６３：Ｎｏルート）、取り外し情報が誤っているので、判定部１３は、判定結果を発光制御部１４に通知する。これに応じ、発光制御部１４は、自ネットワークスイッチ１のポートのＩＤにより特定されるポートの発光部１００１を点滅する（ステップＳ６５）。そしてステップＳ６１の処理に戻る。
【００５８】
図１６に、ステップＳ６５の時点における発光態様を示す。図１６においては、ＬＡＮケーブル３が接続されているべきポートの発光部１００１が点滅している。但し、そのポートにはＬＡＮケーブル３は接続されていない。これにより、ネットワークの管理者等は、取り外し情報が誤っていることがわかる。以下、図１６乃至図１９においては、取り外し情報を受け付けたネットワークスイッチ１をネットワークスイッチＡとし、ネットワークスイッチＡとＬＡＮケーブル３で接続されたネットワークスイッチ１をネットワークスイッチＢとする。
【００５９】
一方、ＬＡＮケーブル３が接続されている場合（ステップＳ６３：Ｙｅｓルート）、判定部１３は、判定結果を発光制御部１４に通知する。これに応じ、発光制御部１４は、取り外されるべきＬＡＮケーブル３のコネクタ（ここでは、第１コネクタ３１とする）が接続されているポートの発光部１００１を点灯させる（ステップＳ６７）。
【００６０】
図１７に、ステップＳ６７の時点における発光態様を示す。図１７においては、ネットワークスイッチＡにおける、取り外されるべきＬＡＮケーブル３が接続されているポートの発光部１００１が点灯している。これにより、ネットワークの管理者等は、発光部１００１が点灯しているポートのＬＡＮケーブル３を取り外せばよいことがわかる。
【００６１】
そして、情報処理部１６は、通信処理部１５から出力された通信データに、情報格納部１１から読み出した取り外し情報（ここでは、接続先のネットワークスイッチ１のＩＤ、及び、接続先のネットワークスイッチ１における、取り外されるべきＬＡＮケーブル３が接続されているポートのＩＤ）を付加し、取り外し要求を生成する。そして、情報処理部１６は、生成された取り外し要求を、インタフェース１００３を介して接続先のネットワークスイッチ１に送信する（ステップＳ６９）。
【００６２】
インタフェース１００３は、取り外されるべきＬＡＮケーブル３の接続先のネットワークスイッチ１から取り外し要求に対する応答を受信し（ステップＳ７１）、判定部１３に出力する。
【００６３】
判定部１３は、受信した応答が、取り外しが可能であることを示す取り外し可能通知であるか判定する（ステップＳ７３）。取り外し可能通知ではない場合（ステップＳ７３：Ｎｏルート）、応答は、取り外し情報が誤っていることを示す取り外し不可通知である。判定部１３は、発光制御部１４に判定結果を通知する。
【００６４】
これに応じ、発光制御部１４は、ＬＡＮケーブル３の両端における第１コネクタ３１の発光部３１１及び第２コネクタ３２の発光部３２１を点滅する（ステップＳ７５）。そしてステップＳ６１の処理に戻る。ここで、例えば表示装置等（図示せず）に、実際にＬＡＮケーブル３が接続されているネットワークスイッチ１のＩＤ等を表示してもよい。
【００６５】
図１８に、ステップＳ７５の時点における発光態様を示す。図１８においては、発光部３１１及び発光部３２１は点滅しており、取り外し情報が入力されたネットワークスイッチ１（ここでは、ネットワークスイッチＡ）のポートの発光部１００１は点灯している。これにより、ネットワークの管理者等は、ＬＡＮケーブル３を取り外すべきではないことがわかる。
【００６６】
一方、取り外し可能通知である場合（ステップＳ７３：Ｙｅｓルート）、判定部１３は、判定結果を発光制御部１４に通知する。これに応じ、発光制御部１４は、ＬＡＮケーブル３の両端における第１コネクタ３１の発光部３１１及び第２コネクタ３２の発光部３２１を点灯する（ステップＳ７７）。
【００６７】
図１９に、ステップＳ７７の時点における発光態様を示す。図１９においては、発光部３１１及び発光部３２１は点灯しており、取り外し情報が入力されたネットワークスイッチ１（ここでは、ネットワークスイッチＡ）のポートの発光部１００１は点灯している。ネットワークの管理者等は、ＬＡＮケーブル３を取り外すべきであることがわかる。
【００６８】
検出部１００２は、ＬＡＮケーブル３の取り外しを検出したか判断する（ステップＳ７９）。ステップＳ７９においては、例えば、リンクダウンしたか否かによって判断する。ＬＡＮケーブルの取り外しを検出していない場合（ステップＳ７９：Ｎｏルート）、ステップＳ７９の処理を再度実行する。ＬＡＮケーブル３の取り外しを検出した場合（ステップＳ７９：Ｙｅｓルート）、検出部１００２は、検出結果を発光制御部１４に通知する。これに応じ、発光制御部１４は、ＬＡＮケーブル３が接続されていたポートの発光部１００１を消灯する（ステップＳ８１）。そして処理を終了する。
【００６９】
一方、取り外されるべきＬＡＮケーブル３の接続先のネットワークスイッチ１は、以下のような処理を実行する。
【００７０】
まず、取り外されるべきＬＡＮケーブル３の接続先のネットワークスイッチ１において、インタフェース１００３は、ＬＡＮケーブル３の他方のコネクタ（ここでは、第１コネクタ３１）が接続されているネットワークスイッチ１から、取り外し情報を含む取り外し要求を受信し（図２０：ステップＳ９１）、判定部１３に出力する。
【００７１】
判定部１３は、取り外し情報に含まれるネットワークスイッチ１のＩＤは、自ネットワークスイッチ１のＩＤと同じであるか判定する（ステップＳ９３）。同じである場合（ステップＳ９３：Ｙｅｓルート）、判定部１３は、判定結果を情報処理部１６に通知する。これに応じ、情報処理部１６は、取り外しが可能であることを示す取り外し可能通知を生成し、インタフェース１００３を介して、コネクタ３１が接続されたネットワークスイッチ１に送信する（ステップＳ９５）。
【００７２】
一方、同じではない場合（ステップＳ９３：Ｎｏルート）、判定結果を情報処理部１６に通知する。これに応じ、情報処理部１６は、取り外しができないことを示す取り外し不可通知を生成し、インタフェース１００３を介して、コネクタ３１が接続されたネットワークスイッチ１に送信する（ステップＳ９７）。判定部１３は、情報格納部１１に格納された取り外し情報を削除する（ステップＳ９９）。そして処理を終了する。
【００７３】
以上のような処理を実行すれば、ＬＡＮケーブル３を接続する作業を行うネットワーク管理者は、誤り無く取り外しを行えるようになる。
【００７４】
また、ＬＡＮケーブル３の接続及び取り外しのいずれの場合にも、別途のケーブル等によって事前に接続を行う作業が不要である。
【００７５】
以上本発明の一実施の形態を説明したが、本発明はこれに限定されるものではない。例えば、上で説明したネットワークスイッチ１及びＬＡＮケーブル３の機能ブロック構成は実際のプログラムモジュール構成に一致しない場合もある。
【００７６】
また、上で説明した各テーブルの構成は一例であって、上記のような構成でなければならないわけではない。さらに、処理フローにおいても、処理結果が変わらなければ処理の順番を入れ替えることも可能である。さらに、並列に実行させるようにしても良い。
【００７７】
また、色が異なる複数の発光部を用意してもよい。
【００７８】
なお、上で述べたネットワークスイッチ１は、コンピュータ装置であって、図２１に示すように、メモリ２６０１とＣＰＵ２６０３とハードディスク・ドライブ（ＨＤＤ）２６０５と表示装置２６０９に接続される表示制御部２６０７とリムーバブル・ディスク２６１１用のドライブ装置２６１３と入力装置２６１５とネットワークに接続するための通信部２６１７（図２１では、２６１７ａ乃至２６１７ｃ）とがバス２６１９で接続される構成を有する場合もある。なお、場合によっては、表示制御部２６０７、表示装置２６０９、ドライブ装置２６１３、入力装置２６１５は含まれない場合もある。オペレーティング・システム（ＯＳ：Operating System）及び本実施の形態における処理を実施するためのアプリケーション・プログラムは、ＨＤＤ２６０５に格納されており、ＣＰＵ２６０３により実行される際にはＨＤＤ２６０５からメモリ２６０１に読み出される。必要に応じてＣＰＵ２６０３は、表示制御部２６０７、通信部２６１７、ドライブ装置２６１３を制御して、必要な動作を行わせる。なお、通信部２６１７のいずれかを介して入力されたデータは、他の通信部２６１７を介して出力される。ＣＰＵ２６０３は、通信部２６１７を制御して、適切に出力先を切り替える。また、処理途中のデータについては、メモリ２６０１に格納され、必要があればＨＤＤ２６０５に格納される。本発明の実施例では、上で述べた処理を実施するためのアプリケーション・プログラムはコンピュータ読み取り可能なリムーバブル・ディスク２６１１に格納されて頒布され、ドライブ装置２６１３からＨＤＤ２６０５にインストールされる場合もある。インターネットなどのネットワーク及び通信部２６１７を経由して、ＨＤＤ２６０５にインストールされる場合もある。このようなコンピュータ装置であるネットワークスイッチ１は、上で述べたＣＰＵ２６０３、メモリ２６０１などのハードウエアとＯＳ及び必要なアプリケーション・プログラムとが有機的に協働することにより、上で述べたような各種機能を実現する。
【００７９】
以上述べた本発明の実施の形態をまとめると、以下のようになる。
【００８０】
本実施の形態の第１の態様に係るネットワークスイッチは、（Ａ）複数のポートと、（Ｂ）複数のポートのうち第１のポートに第１の端部が接続されているケーブルの第２の端部が、他のネットワークスイッチのポートに接続されたことを検出する検出部と、（Ｃ）第２の端部が他のネットワークスイッチのポートに接続されたことが検出部により検出された場合、第２の端部が接続されるべきポートの識別情報と、第２の端部が接続されるべきポートを有するネットワークスイッチの識別情報とを、他のネットワークスイッチにケーブルを介して送信する送信部と、（Ｄ）接続が誤りであることを示す通知を、他のネットワークスイッチからケーブルを介して受信した場合、少なくとも第２の端部の発光部を第１の発光態様で発光させる制御部とを有する。
【００８１】
このようにすれば、作業者は接続に誤りが有ることを知ることができるので、ネットワークスイッチ間の接続の誤りの発生を抑制できるようになる。また、両ネットワークスイッチの間で接続に関する情報を事前に共有しておかなくてもよいので、接続に関する情報を事前に共有するためのケーブル等を別途用意しなくてもよい。
【００８２】
また、複数のポートの各々が発光部を有し、上で述べた制御部は、（ｄ１）複数のポートのうち第１の端部が接続されるべきポートの発光部を第２の発光態様で発光させてもよい。このようにすれば、ケーブルの端部を接続すべきポートを容易に特定できるようになると共に、間違えるのを防げるようになる。
【００８３】
また、本ネットワークスイッチが、（Ｅ）第１の端部が接続されるべきポートと第１のポートとが一致するか判定する判定部をさらに有してもよい。そして、上で述べた制御部は、（ｄ２）第１の端部が接続されるべきポートと第１の端部が接続されているポートとが一致しないと判定部により判定された場合、少なくとも第１の端部が接続されるべきポートの発光部を第１の発光態様で発光させてもよい。このようにすれば、ケーブルの端部が接続されるべきポートを間違えたことを知ることができるようになる。
【００８４】
また、本ネットワークスイッチが、（Ｆ）第１の端部が接続されるべきポートの識別情報と第２の端部が接続されるべきポートの識別情報と第２の端部が接続されるべきポートを有するネットワークスイッチの識別情報とを格納するデータ格納部をさらに有してもよい。これらの情報は、例えば作業者により入力され、データ格納部に格納される。
【００８５】
また、上で述べた送信部は、（ｃ１）取り外されるケーブルの端部が接続されているべきネットワークスイッチの識別情報を読み出し、読み出した識別情報を他のネットワークスイッチに送信し、上で述べた制御部は、取り外されるケーブルの端部が他のネットワークスイッチに接続されていないことを示す通知を、他のネットワークスイッチから受信した場合、取り外されるケーブルの端部の発光部を第１の発光態様で発光させてもよい。このようにすれば、ケーブルの取り外しの際、読み出したネットワークスイッチの識別情報に誤りが有ることを知ることができるようになる。
【００８６】
また、上で述べた判定部は、（ｅ１）取り外されるケーブルが接続されているべきポートの識別情報を読み出し、当該ポートにケーブルが接続されているか判定し、上で述べた制御部は、（ｄ３）取り外されるケーブルが接続されているべきポートにケーブルが接続されていないと判定部により判定された場合、取り外されるケーブルが接続されているべきポートの発光部を第１の発光態様で発光させ、（ｄ４）取り外されるケーブルが接続されているべきポートにケーブルが接続されていると判定部により判定された場合、取り外されるケーブルが接続されているべきポートの発光部を第２の発光態様で発光させてもよい。このようにすれば、ケーブルの取り外しの際、読み出したポートの識別情報に誤りが有るか否かを確認できるようになる。
【００８７】
また、本ネットワークスイッチが、（Ｇ）取り外されるケーブルが接続されているべきポートの識別情報と取り外されるケーブルの端部が接続されているべきネットワークスイッチの識別情報とを格納するデータ格納部をさらに有してもよい。これらの情報は、例えば作業者により入力され、データ格納部に格納される。
【００８８】
本実施の形態の第２の態様に係る情報処理システムは、（Ｈ）複数のネットワークスイッチを有する。そして、複数のネットワークスイッチのうち第１のネットワークスイッチは、（ｈ１）複数のポートと、（ｈ２）複数のポートのうち第１のポートに第１の端部が接続されているケーブルの第２の端部が、複数のネットワークスイッチのうち第２のネットワークスイッチのポートに接続されたことを検出する検出部と、（ｈ３）第２の端部が第２のネットワークスイッチのポートに接続されたことが検出部により検出された場合、第２の端部が接続されるべきポートの識別情報と、第２の端部が接続されるべきポートを有するネットワークスイッチの識別情報とを、第２のネットワークスイッチにケーブルを介して送信する第１送信部と、（ｈ４）接続が誤りであることを示す通知を、第２のネットワークスイッチからケーブルを介して受信した場合、少なくとも第２の端部の発光部を第１の発光態様で発光させる第１制御部とを有する。そして、上で述べた第２のネットワークスイッチは、（ｈ５）複数のポートと、（ｈ６）受信した第２の端部が接続されるべきポートの識別情報と第２の端部が接続されるべきポートを有するネットワークスイッチの識別情報とを用いて、接続が誤りであるか判定する判定部と、（ｈ７）接続が誤りであると判定部により判定された場合、接続が誤りであることを示す通知を、第１のネットワークスイッチにケーブルを介して送信する第２送信部とを有する。
【００８９】
このようにすれば、作業者は接続に誤りが有ることを知ることができるので、ネットワークスイッチ間の接続の誤りの発生を抑制できるようになる。また、両ネットワークスイッチの間で接続に関する情報を事前に共有しておかなくてもよいので、接続に関する情報を事前に共有するためのケーブル等を別途用意しなくてもよくなる。
【００９０】
また、上で述べた判定部は、（ｈ６１）第２の端部が接続されるべきポートを有するネットワークスイッチが第２のネットワークスイッチであるか判定し、（ｈ８）第２の端部が接続されるべきポートを有するネットワークスイッチが第２のネットワークスイッチではないと判定部により判定された場合、接続が誤りであることを示す通知をケーブルを介して第１のネットワークスイッチに送信すると共に、複数のポートのうち第２の端部が接続されたポートの発光部を第１の態様で発光させる第２制御部をさらに有してもよい。このようにすれば、第２の端部が接続されるべきポートが第２のネットワークスイッチには無いことを知ることができるようになる。
【００９１】
また、上で述べた判定部は、（ｈ６２）第２の端部が接続されるべきポートと、第２の端部が接続されたポートとが一致するか判定し、上で述べた第２制御部は、（ｈ８１）第２の端部が接続されるべきポートと第２の端部が接続されたポートとが一致しないと判定部により判定された場合、接続が誤りであることを示す通知をケーブルを介して第１のネットワークスイッチに送信すると共に、第２の端部が接続されるべきポートの発光部を第２の態様で発光させてもよい。このようにすれば、第２の端部が接続されるべきポートが誤っていることを知ることができるようになる。
【００９２】
また、上で述べた判定部は、（ｈ６３）第１のネットワークスイッチから、取り外されるケーブルの端部が接続されているべきネットワークスイッチの識別情報を受信した場合、当該ネットワークスイッチが第２のネットワークスイッチであるか判定し、上で述べた第２送信部は、（ｈ７１）取り外されるケーブルの端部が接続されているべきネットワークスイッチが第２のネットワークスイッチではないと判定された場合、取り外されるケーブルの端部が第２のネットワークスイッチに接続されていないことを示す通知を、第１のネットワークスイッチに送信してもよい。このようにすれば、取り外されるケーブルが第２のネットワークスイッチに接続されていないことを知ることができるようになる。
【００９３】
本実施の形態の第３の態様に係る接続支援方法は、（Ｉ）複数のポートのうち第１のポートに第１の端部が接続されているケーブルの第２の端部が、他のネットワークスイッチのポートに接続されたことを検出し、（Ｊ）第２の端部が他のネットワークスイッチのポートに接続されたことが検出された場合、第２の端部が接続されるべきポートの識別情報と、第２の端部が接続されるべきポートを有するネットワークスイッチの識別情報とを、他のネットワークスイッチにケーブルを介して送信し、（Ｋ）接続が誤りであることを示す通知を、他のネットワークスイッチからケーブルを介して受信した場合、少なくとも第２の端部の発光部を第１の発光態様で発光させる処理を含む。
【００９４】
なお、上記方法による処理をコンピュータに行わせるためのプログラムを作成することができ、当該プログラムは、例えばフレキシブルディスク、ＣＤ−ＲＯＭ、光磁気ディスク、半導体メモリ、ハードディスク等のコンピュータ読み取り可能な記憶媒体又は記憶装置に格納される。尚、中間的な処理結果はメインメモリ等の記憶装置に一時保管される。
【００９５】
以上の実施例を含む実施形態に関し、さらに以下の付記を開示する。
【００９６】
（付記１）
複数のポートと、
前記複数のポートのうち第１のポートに第１の端部が接続されているケーブルの第２の端部が、他のネットワークスイッチのポートに接続されたことを検出する検出部と、
前記第２の端部が前記他のネットワークスイッチのポートに接続されたことが前記検出部により検出された場合、前記第２の端部が接続されるべきポートの識別情報と、前記第２の端部が接続されるべきポートを有するネットワークスイッチの識別情報とを、前記他のネットワークスイッチに前記ケーブルを介して送信する送信部と、
接続が誤りであることを示す通知を、前記他のネットワークスイッチから前記ケーブルを介して受信した場合、少なくとも前記第２の端部の発光部を第１の発光態様で発光させる制御部と、
を有するネットワークスイッチ。
【００９７】
（付記２）
前記複数のポートの各々が発光部を有し、
前記制御部は、
前記複数のポートのうち前記第１の端部が接続されるべきポートの発光部を第２の発光態様で発光させる
付記１記載のネットワークスイッチ。
【００９８】
（付記３）
前記第１の端部が接続されるべきポートと前記第１のポートとが一致するか判定する判定部
をさらに有し、
前記制御部は、
前記第１の端部が接続されるべきポートと前記第１の端部が接続されているポートとが一致しないと前記判定部により判定された場合、少なくとも前記第１の端部が接続されるべきポートの発光部を前記第１の発光態様で発光させる
付記２記載のネットワークスイッチ。
【００９９】
（付記４）
前記第１の端部が接続されるべきポートの識別情報と前記第２の端部が接続されるべきポートの識別情報と前記第２の端部が接続されるべきポートを有するネットワークスイッチの識別情報とを格納するデータ格納部
をさらに有する付記１乃至３のいずれか１つ記載のネットワークスイッチ。
【０１００】
（付記５）
前記送信部は、
取り外されるケーブルの端部が接続されているべきネットワークスイッチの識別情報を読み出し、読み出した前記識別情報を前記他のネットワークスイッチに送信し、
前記制御部は、
前記取り外されるケーブルの端部が前記他のネットワークスイッチに接続されていないことを示す通知を、前記他のネットワークスイッチから受信した場合、前記取り外されるケーブルの端部の発光部を前記第１の発光態様で発光させる
付記１記載のネットワークスイッチ。
【０１０１】
（付記６）
前記判定部は、
取り外されるケーブルが接続されているべきポートの識別情報を読み出し、前記ポートにケーブルが接続されているか判定し、
前記制御部は、
前記取り外されるケーブルが接続されているべきポートにケーブルが接続されていないと前記判定部により判定された場合、前記取り外されるケーブルが接続されているべきポートの発光部を前記第１の発光態様で発光させ、
前記取り外されるケーブルが接続されているべきポートにケーブルが接続されていると前記判定部により判定された場合、前記取り外されるケーブルが接続されているべきポートの発光部を前記第２の発光態様で発光させる
付記５記載のネットワークスイッチ。
【０１０２】
（付記７）
前記取り外されるケーブルが接続されているべきポートの識別情報と前記取り外されるケーブルの端部が接続されているべきネットワークスイッチの識別情報とを格納するデータ格納部
をさらに有する付記５又は６記載のネットワークスイッチ。
【０１０３】
（付記８）
複数のネットワークスイッチ
を有し、
前記複数のネットワークスイッチのうち第１のネットワークスイッチは、
複数のポートと、
前記複数のポートのうち第１のポートに第１の端部が接続されているケーブルの第２の端部が、前記複数のネットワークスイッチのうち第２のネットワークスイッチのポートに接続されたことを検出する検出部と、
前記第２の端部が前記第２のネットワークスイッチのポートに接続されたことが前記検出部により検出された場合、前記第２の端部が接続されるべきポートの識別情報と、前記第２の端部が接続されるべきポートを有するネットワークスイッチの識別情報とを、前記第２のネットワークスイッチに前記ケーブルを介して送信する第１送信部と、
接続が誤りであることを示す通知を、前記第２のネットワークスイッチから前記ケーブルを介して受信した場合、少なくとも前記第２の端部の発光部を第１の発光態様で発光させる第１制御部と、
を有し、
前記第２のネットワークスイッチは、
複数のポートと、
受信した前記第２の端部が接続されるべきポートの識別情報と前記第２の端部が接続されるべきポートを有するネットワークスイッチの識別情報とを用いて、接続が誤りであるか判定する判定部と、
接続が誤りであると前記判定部により判定された場合、前記接続が誤りであることを示す通知を、前記第１のネットワークスイッチに前記ケーブルを介して送信する第２送信部と、
を有する情報処理システム。
【０１０４】
（付記９）
前記判定部は、
前記第２の端部が接続されるべきポートを有するネットワークスイッチが前記第２のネットワークスイッチであるか判定し、
前記第２の端部が接続されるべきポートを有するネットワークスイッチが前記第２のネットワークスイッチではないと前記判定部により判定された場合、前記接続が誤りであることを示す通知を前記ケーブルを介して前記第１のネットワークスイッチに送信すると共に、前記複数のポートのうち前記第２の端部が接続されたポートの発光部を前記第１の態様で発光させる第２制御部
をさらに有する付記８記載の情報処理システム。
【０１０５】
（付記１０）
前記判定部は、
前記第２の端部が接続されるべきポートと、前記第２の端部が接続されたポートとが一致するか判定し、
前記第２制御部は、
前記第２の端部が接続されるべきポートと前記第２の端部が接続されたポートとが一致しないと前記判定部により判定された場合、前記接続が誤りであることを示す通知を前記ケーブルを介して前記第１のネットワークスイッチに送信すると共に、前記第２の端部が接続されるべきポートの発光部を第２の態様で発光させる
付記９記載の情報処理システム。
【０１０６】
（付記１１）
前記判定部は、
前記第１のネットワークスイッチから、取り外されるケーブルの端部が接続されているべきネットワークスイッチの識別情報を受信した場合、前記ネットワークスイッチが前記第２のネットワークスイッチであるか判定し、
前記第２送信部は、
前記取り外されるケーブルの端部が接続されているべきネットワークスイッチが前記第２のネットワークスイッチではないと判定された場合、前記取り外されるケーブルの端部が前記第２のネットワークスイッチに接続されていないことを示す通知を、前記第１のネットワークスイッチに送信する
付記８記載の情報処理システム。
【０１０７】
（付記１２）
複数のポートのうち第１のポートに第１の端部が接続されているケーブルの第２の端部が、他のネットワークスイッチのポートに接続されたことを検出し、
前記第２の端部が前記他のネットワークスイッチのポートに接続されたことが検出された場合、前記第２の端部が接続されるべきポートの識別情報と、前記第２の端部が接続されるべきポートを有するネットワークスイッチの識別情報とを、前記他のネットワークスイッチに前記ケーブルを介して送信し、
接続が誤りであることを示す通知を、前記他のネットワークスイッチから前記ケーブルを介して受信した場合、少なくとも前記第２の端部の発光部を第１の発光態様で発光させる、
処理をコンピュータが実行する接続支援方法。
【符号の説明】
【０１０８】
１  ネットワークスイッチ    １１  情報格納部
１２  処理部    １３  判定部
１４  発光制御部    １５  通信処理部
１６  情報処理部    １００，１０１  ポート
１００１  発光部    １００２  検出部
１００３  インタフェース    ３  ＬＡＮケーブル
３１  第１コネクタ    ３２  第２コネクタ
３１１，３２１  発光部
【図１】
2015142308.tif 000003
【図２】
2015142308.tif 000004
【図３】
2015142308.tif 000005
【図４】
2015142308.tif 000006
【図５】
2015142308.tif 000007
【図６】
2015142308.tif 000008
【図７】
2015142308.tif 000009
【図８】
2015142308.tif 000010
【図９】
2015142308.tif 000011
【図１０】
2015142308.tif 000012
【図１１】
2015142308.tif 000013
【図１２】
2015142308.tif 000014
【図１３】
2015142308.tif 000015
【図１４】
2015142308.tif 000016
【図１５】
2015142308.tif 000017
【図１６】
2015142308.tif 000018
【図１７】
2015142308.tif 000019
【図１８】
2015142308.tif 000020
【図１９】
2015142308.tif 000021
【図２０】
2015142308.tif 000022
【図２１】
2015142308.tif 000023